(57)【要約】【課題】ドアと操作パネル部の前後、左右、上下の位置関係を合致し、さらに、表面の色調、光沢なども合致させて外観品位を向上させるとともに、操作性が良く使い勝手の良い高周波加熱装置を提供すること。【解決手段】操作部１０をドア５本体に配置することにより、ドア５と操作部１０の生産条件が合致することになるので、ドア５と操作部１０の前後、左右、上下の位置関係と、表面の色調、光沢を完全に合致させることができるとともに、調理停止スイッチと９ａと調理開始スイッチ９ｂを操作部１０の下端に配置し、ドアハンドル７の位置を操作部より下に設けることで、調理操作からドア５開閉の連動操作時間を短縮できる。【選択図】図１
2011169477.tif 000002
【特許請求の範囲】
【請求項１】
被加熱物を加熱する加熱室と、被加熱物を出し入れする加熱室前面開口部と、加熱室を構成する加熱室側壁と、加熱手段と、加熱室前面開口部を開閉するドアと、ドアを加熱室前面側壁に保持するヒンジと、ドアを開閉する際に保持するドアハンドルと、ドアを閉じた時に加熱室前面側壁にドアを係止するドアキーと、各種の操作スイッチを有する操作部とを備え、
前記操作部はドア本体に配置し、かつ、ヒンジの反対側に設け、調理停止スイッチと調理開始スイッチを操作部の下端に配置し、操作部より下にドアハンドルを設けた高周波加熱装置。
【請求項２】
ドアハンドルは、ドアキーと連動した請求項１に記載の高周波加熱装置。
【発明の詳細な説明】
【技術分野】
【０００１】
本発明は、電子レンジやオーブン電子レンジのような高周波加熱装置の操作部に関するものである。
【背景技術】
【０００２】
従来、この種の高周波加熱装置はドアと操作部は分離しており、ドアを開閉するドアハンドルはドアに配置されている（例えば、特許文献１参照）。
【０００３】
図２は、特許文献１に記載された従来の高周波加熱装置を示すものである。図２に示すように、機器本体１と、ドア２と、ドアハンドル４と、操作パネル６と、操作キー７から構成されている。
【先行技術文献】
【特許文献】
【０００４】
【特許文献１】特開平０７−１２７８６６号公報
【発明の概要】
【発明が解決しようとする課題】
【０００５】
しかしながら、前記従来の構成では、ドア２と操作パネル６が別々の構成部として分離しているため、ドア２と操作パネル６の成型条件や組立条件などの生産条件を完全に合致させることは困難なので、ドア２と操作パネル６の前後、左右、上下の位置関係が合致しないことがある。さらに、表面の色調、光沢なども完全に合致させることは難しく外観品位の低下を招くという課題を有していた。
【０００６】
例えば、ドア２と操作パネル６の上端が、一直線上に配置されずに１ｍｍでもずれている場合には、市場から不良品として返品され、その損失は大きなものであった。また、ドア２と操作パネル６それぞれの表面の色調、光沢などの微妙な違いにより、製品が変質や劣化したといった誤解を与える場合が生ずるという課題を有していた。さらに、ドアハンドル４が操作部の近傍に配置されているため、操作スイッチを操作する際に、ドアハンドル４が邪魔になるという課題を有していた。
【０００７】
本発明は、前記従来の課題を解決するもので、ドアと操作パネル部の前後、左右、上下の位置関係を合致し、さらに、表面の色調、光沢なども合致させて外観品位を向上させるとともに、操作性が良く使い勝手の良い高周波加熱装置を提供することを目的とする。
【課題を解決するための手段】
【０００８】
前記従来の課題を解決するために、本発明の高周波加熱装置は、被加熱物を加熱する加熱室と、被加熱物を出し入れする加熱室前面開口部と、加熱室を構成する加熱室側壁と、加熱室前面開口部を開閉するドアと、ドアを加熱室前面側壁に開閉自在に保持するヒンジと、ドアを開閉する際に保持するドアハンドルと、ドアを閉じた時に加熱室前面側壁にドアを係止するドアキーと、各種の操作スイッチを有する操作部とを備え、前記操作部はドア本体に配置し、かつ、ヒンジの反対側に設け、調理停止スイッチと調理開始スイッチを操作部の下端に配置し、操作部の下方にドアハンドルを設けたものである。
【０００９】
これによって、ドアと操作部は一体化されているので、ドアと操作部の前後、左右、上下の位置関係が完全に合致し、さらに、表面の色調、光沢なども完全に合致するので、外観品位が低下して市場から不良品として返品されるといった課題も解決する。また、調理
停止スイッチと調理開始スイッチを操作部の下端に配置し、ドアハンドルの位置を操作部の直下に設けることで、操作スイッチを操作する際にドアハンドルが邪魔になることがなく、かつ、スイッチ操作後直ちにドアハンドルに手を掛けられるので、調理操作とドア開閉の連動操作時間を短縮できて使い勝手を向上することができる。
【発明の効果】
【００１０】
本発明の高周波加熱装置は、ドアと操作部の前後、左右、上下の位置関係と表面の色調、光沢などを合致させて外観品位を向上し、調理操作とドア開閉の連動操作時間を短縮できて、使い勝手を向上することができる。
【図面の簡単な説明】
【００１１】
【図１】本発明の実施の形態１における高周波加熱装置の斜視図
【図２】従来の高周波加熱装置の斜視図
【発明を実施するための形態】
【００１２】
第１の発明は、被加熱物を加熱する加熱室と、被加熱物を出し入れする加熱室前面開口部と、加熱室を構成する加熱室側壁と、加熱手段と、加熱室前面開口部を開閉するドアと、ドアを加熱室前面側壁に保持するヒンジと、ドアを開閉する際に保持するドアハンドルと、ドアを閉じた時に加熱室前面側壁にドアを係止するドアキーと、各種の操作スイッチを有する操作部とを備え、操作部をドア本体に配置し、かつ、ヒンジの反対側に設けることにより、ドアと操作部が一体化されてドアと操作部の前後、左右、上下の位置関係が完全に合致し、さらに、表面の色調、光沢なども完全に合致するので、外観品位が低下して市場から不良品として返品されるといった課題を解決することができるとともに、調理停止スイッチと調理開始スイッチを操作部の下端に配置し、ドアハンドルの位置を操作部の直下に設けることで、操作スイッチを操作する際にドアハンドルが邪魔になることがなく、かつ、スイッチ操作後直ちにドアハンドルに手を掛けられるので、調理操作とドア開閉の連動操作時間を短縮できて使い勝手を向上することができる。
【００１３】
第２の発明は、特に、第１の発明のドアハンドルをドアキーと連動することにより、ドアを開く際にドアハンドルを動かすとドアキーが連動して動き、加熱室前面側壁への係止を外すので、強い力でドアを引かなくても容易にドアを開き易くできる。
【００１４】
以下、本発明の実施の形態について、図面を参照しながら説明する。なお、この実施の形態によって本発明が限定されるものではない。
【００１５】
（実施の形態１）
図１は、本発明の第１、第２の実施の形態における高周波加熱装置の斜視図を示すものである。
【００１６】
図１において、操作部１０は、各種の操作スイッチ９や加熱の情報などを表示する表示装置１１を有したものであり、ドアハンドル７、ドアキー８と有機的に関連してドア５本体を構成している。
【００１７】
以上のように構成された高周波加熱装置について、以下その動作、作用を説明する。
【００１８】
まず、各種の操作スイッチ９や表示装置１１を有する操作部１０をドア５本体に配置すると、ドア５と操作部１０が一体化されているので、ドア５を閉じた際にもドア５と操作部１０の前後、左右、上下の位置関係は完全に合致し、表面の色調、光沢なども完全に合致する。さらに、調理停止スイッチ９ａと調理開始スイッチ９ｂを操作部１０の下端に配置し、ドアハンドル７の位置を操作部１０の直下に設けることで、操作スイッチ９を操作
する際にドアハンドル７が邪魔になることがなく、かつ、操作後直ちにドアハンドル７に手を掛けられる。
【００１９】
以上のように、本実施の形態においては、ドア５と操作部１０が一体化されているので、ドア５と操作部１０の前後、左右、上下の位置関係は完全に合致し、さらに、表面の色調、光沢なども完全に合致して外観品位を向上することができる。また、操作部１０をヒンジ６の反対側に設けることにより、操作キー１１を入力した後にドア５を閉じる際に、操作する手の移動距離が短くて済むので作業時間を短縮できて作業効率を向上することもできる。さらに、調理停止スイッチ９ａと調理開始スイッチ９ｂを操作部の下端に配置し、ドアハンドル７の位置を操作部の直下に設けることで、操作スイッチ９を操作する際にドアハンドル７が邪魔になることがなく、かつ、操作スイッチ９の操作後直ちにドアハンドル７に手を掛けられるので、調理操作とドア５開閉の連動操作時間を短縮できて使い勝手を向上することができる。
【００２０】
また、図１において、ドアハンドル７をドアキー８と連動することにより、ドア５を開く際にはドアハンドル７を動かすとドアキー８が連動して動き、加熱室前面側壁４への係止を外すので、強い力でドアハンドル７を引かなくても容易にドア５を開き易くできる。
【産業上の利用可能性】
【００２１】
以上のように、本発明にかかる高周波加熱装置は、ドアと操作部の前後、左右、上下の位置関係と表面の色調、光沢などを合致させることが可能であり、調理操作とドア開閉の連動操作時間を短縮できるので、オーブン、トースター、冷蔵庫、保温庫など、収納庫とドアを必要とする機器等の用途にも適用できる。
【符号の説明】
【００２２】
１  高周波加熱装置本体
２  加熱室
３  加熱室前面開口部
４  加熱室側壁
４ａ  加熱室前面側壁
５  ドア
６  ヒンジ
７  ドアハンドル
８  ドアキー
９  操作スイッチ
９ａ  調理停止スイッチ
９ｂ  調理開始スイッチ
１０  操作部
１１  表示装置
【図１】
2011169477.tif 000003
【図２】
2011169477.tif 000004